(57)【要約】【課題】既設の高架水槽から別の高架水槽に取り替える作業を、給水を維持しながら行うことができる給水維持方法を提供する。【解決手段】本発明の給水維持方法は、高架水槽２００を取り替えるときの給水維持方法であって、高架水槽２００から後段給水管４０に給水しつつ、迂回管部７０により前段給水管１０と後段給水管４０との間を接続し、迂回管部７０を経由して後段給水管４０に給水する工程と、迂回管部７０を経由して後段給水管４０に給水しつつ、前段給水管１０から高架水槽２００への水の流通を停止させてから別の高架水槽３００に取り替え、前段給水管１０から別の高架水槽３００へと水の流通を再開させて前段給水管１０から別の高架水槽３００を経由して後段給水管４０に給水する工程と、別の高架水槽３００を経由して後段給水管４０に給水しつつ、迂回管部７０の水の流通を停止させてから迂回管部７０を取り外す工程と、を備える。【選択図】図４
2019183566.tif 000002
【特許請求の範囲】
【請求項１】
高架水槽と、前記高架水槽への水が流通する前段給水管と、前記高架水槽から複数の水供給先への水が流通する後段給水管と、前記前段給水管の水を前記高架水槽へと流動させるためのポンプユニットと、前記ポンプユニットの駆動を制御する制御部と、を備える給水システムについて、前記高架水槽を取り替えるときの給水維持方法であって、
前記高架水槽から前記後段給水管に給水しつつ、迂回管部により前記前段給水管と前記後段給水管との間を接続し、前記迂回管部を経由して前記後段給水管に給水する、迂回管部接続工程と、
前記迂回管部を経由して前記後段給水管に給水しつつ、前記前段給水管から前記高架水槽への水の流通を停止させてから別の高架水槽に取り替え、前記前段給水管から前記別の高架水槽へと水の流通を再開させて前記前段給水管から前記別の高架水槽を経由して前記後段給水管に給水する、高架水槽取替工程と、
前記別の高架水槽を経由して前記後段給水管に給水しつつ、前記迂回管部の水の流通を停止させてから前記迂回管部を取り外す、迂回管部取り外し工程と、
を備える給水維持方法。
【請求項２】
前記迂回管部接続工程は、前記制御部が前記ポンプユニットを駆動して前記高架水槽に所定水位の水が貯水された後に開始する、請求項１に記載の給水維持方法。
【請求項３】
前記迂回管部は、
一端部が前記前段給水管に接続され、他端部に水を排出可能な第１開口を有する第１管部と、
前記第１管部の第１分岐部位から分岐し、水を排出可能な第２開口を有する第２管部と、
前記第１管部における前記第１分岐部位よりも下流の第２分岐部位から分岐し、前記後段給水管に接続される第３管部と、
前記第１管部の前記第１分岐部位と前記第２分岐部位との間に設けられる減圧バルブと、
前記第１管部における前記減圧バルブよりも下流に設けられ、前記第１管部の内部の水の圧力を計測する水圧計測部と、
を有し、
前記水圧計測部が検知する水の圧力が所定値よりも高い場合には前記減圧バルブにより前記第１管部を流通する水の圧力を減少させる、請求項１又は請求項２に記載の給水維持方法。
【発明の詳細な説明】
【技術分野】
【０００１】
本発明は、水道工事等における給水維持方法に関する。
【背景技術】
【０００２】
マンション等の建物には、水道水を、水道管からマンションの屋上の高架水槽へと引き上げて、高架水槽から各階に供給するように構成されたものがある。このような構成が適用された建物に関する文献として特許文献１が開示されている。高架水槽を交換する水道工事のときには、事前に建物の住人に水道工事によって特定の時間帯に水道水が止まることが知らされ、水道工事業者は、その時間帯に、古い高架水槽を新しい高架水槽に取り替える。
【先行技術文献】
【特許文献】
【０００３】
【特許文献１】特開２００８−１９６２０３号公報
【発明の概要】
【発明が解決しようとする課題】
【０００４】
しかしながら、古い高架水槽を取り外してから新しい高架水槽を取り付けるまでの間に水道水の供給を停止する必要があり、建物の住人は水道水を使用することができない。
【０００５】
従って、本発明は、既設の高架水槽から別の高架水槽に取り替える作業を、給水を維持しながら行うことができる給水維持方法を提供することを目的とする。
【課題を解決するための手段】
【０００６】
（１）本発明は、高架水槽（２００）と、前記高架水槽への水が流通する前段給水管（１０）と、前記高架水槽から複数の水供給先（１１１〜１１４）への水が流通する後段給水管（４０）と、前記前段給水管の水を前記高架水槽へと流動させるためのポンプユニット（６０）と、前記ポンプユニット（６０）の駆動を制御する制御部（５０）と、を備える給水システム（１００）について、前記高架水槽を取り替えるときの給水維持方法であって、前記高架水槽（２００）から前記後段給水管（４０）に給水しつつ、迂回管部（７０）により前記前段給水管（１０）と前記後段給水管（４０）との間を接続し、前記迂回管部（７０）を経由して前記後段給水管（４０）に給水する、迂回管部接続工程と、前記迂回管部（７０）を経由して前記後段給水管（４０）に給水しつつ、前記前段給水管（１０）から前記高架水槽（２００）への水の流通を停止させてから別の高架水槽（３００）に取り替え、前記前段給水管（１０）から前記別の高架水槽（３００）へと水の流通を再開させて前記前段給水管（１０）から前記別の高架水槽（３００）を経由して前記後段給水管（４０）に給水する、高架水槽取替工程と、前記別の高架水槽（３００）を経由して前記後段給水管（４０）に給水しつつ、前記迂回管部（７０）の水の流通を停止させてから前記迂回管部（７０）を取り外す、迂回管部取り外し工程と、を備える給水維持方法に関する。
【０００７】
（２）  （１）の給水維持方法において、前記迂回管部接続工程は、前記制御部（５０）が前記ポンプユニット（６０）を駆動して前記高架水槽（２００）に所定水位の水が貯水された後に開始することが好ましい。
【０００８】
（３）  （１）又は（２）の給水維持方法において、前記迂回管部（７０）は、一端部が前記前段給水管（１０）に接続され、他端部に水を排出可能な第１開口（１９）を有する第１管部（１４）と、前記第１管部（１４）の第１分岐部位（２１）から分岐し、水を排出可能な第２開口（２４）を有する第２管部（２２）と、前記第１管部（１４）における前記第１分岐部位（２１）よりも下流の第２分岐部位（２５，２６）から分岐し、前記後段給水管（４０）に接続される第３管部（２７，２８）と、前記第１管部（１４）の前記第１分岐部位（２１）と前記第２分岐部位（２５，２６）との間に設けられる減圧バルブ（１８）と、前記第１管部（１４）における前記減圧バルブ（１８）よりも下流に設けられ、前記第１管部（１４）の内部の水の圧力を計測する水圧計測部（１７）と、を有し、前記水圧計測部（１７）が検知する水の圧力が所定値よりも高い場合には前記減圧バルブ（１８）により前記第１管部（１４）を流通する水の圧力を減少させることが好ましい。
【発明の効果】
【０００９】
本発明によれば、既設の高架水槽から別の高架水槽に取り替える作業を、給水を維持しながら行うことができる。
【図面の簡単な説明】
【００１０】
【図１】本発明の一実施形態に係る給水維持方法が適用される給水システムを有する建物を示す概略図である。
【図２】本発明の一実施形態に係る給水維持方法が適用される給水システムを示す概略図である。
【図３】分流管を接続した給水システムを示す概略図である。
【図４】迂回管部を接続した給水システムを示す概略図である。
【図５Ａ】後段給水管に第３管を接続する工程を示す概略図である。
【図５Ｂ】後段給水管に第３管を接続する工程を示す概略図である。
【図６Ａ】後段給水管に第３管を接続する工程を示す概略図である。
【図６Ｂ】後段給水管に第３管を接続する工程を示す概略図である。
【図７】高架水槽の取り外し後の給水システムを示す概略図である。
【図８】高架水槽の交換後の給水システムを示す概略図である。
【図９】迂回管部の取り外し後の給水システムを示す概略図である。
【発明を実施するための形態】
【００１１】
以下、図面を参照して、本発明の一実施形態の給水維持方法について説明する。
〔給水システムの全体構成〕
図１は、本発明の一実施形態に係る給水システム１００を有する建物１１０を示す概略図である。図２は、給水システム１００の概略図である。図１及び図２に示すように、給水システム１００は、受水槽１０１と、ポンプユニット６０と、制御部５０と、前段給水管１０と、高架水槽２００と、後段給水管４０と、分岐管１２１〜１２４と、水栓１３１〜１３４と、を備える。また、給水システム１００には、水道工事中に、分流管１２と、迂回管部７０と、が後付けで取り付けられる。建物１１０は、空間区画部１１１〜１１４を有する。
【００１２】
〔受水槽〕
受水槽１０１は、水道管１０２から水道引き込み管１０３によって引き込んだ水道水を貯水するタンクである。受水槽１０１には、建物１１０の１日の水使用量の１／３〜１／２の水量の水が貯水されている。受水槽１０１は、例えば、建物１１０の１階部分に、空間区画部１１１に隣接されて配置されている。
【００１３】
〔ポンプユニット〕
ポンプユニット６０は、不図示の複数のポンプ（例えば４つのポンプ）を有する。ポンプユニット６０は、例えば、建物１１０の１階部分に、空間区画部１１１に隣接されて配置されている。複数のポンプは、マンションの住人が使用する水量に応じて稼働する。例えば、最も少ない水量が使用されるときは１つのポンプが駆動し、最も多い水量が使用されるときは３つのポンプが駆動する。複数のポンプは、ローテーションで駆動し、４つのうちの１つは、予備として駆動しない状態になるように制御されている。ポンプユニット６０は、受水槽１０１から高架水槽２００を経由して水栓１３１〜１３４へと水を供給する給水システム１００（受水槽高架水槽方式）に適用されるものであるから、揚水ポンプとも言う。
【００１４】
〔制御部〕
制御部５０は、ポンプユニット６０の駆動を制御することにより、ポンプユニット６０を通過する水道水の量を調節する部位である。制御部５０は、動力分電盤９２に配線によって接続されると共に、複数のポンプそれぞれに配線によって接続されている。なお、動力分電盤９２は、複数のポンプそれぞれに供給する電源の機能を有している。
【００１５】
〔前段給水管〕
前段給水管１０は、ポンプユニット６０から高架水槽２００への水を流通させる管である。また、前段給水管１０は、建物１１０の１階から上方の階へと上下方向に延びる部位を有する。この、前段給水管１０の上下方向に延びる部位の中では、水は、ポンプユニット６０から高架水槽２００へと引き上げられて、上方に向かって流れる。また、図３を参照しつつ後述するが、水道工事中に、前段給水管１０に手動のバルブ１１が取り付けられる。このバルブ１１は、作業者が前段給水管１０の内部を流通する水の量を調節するためのものである。
【００１６】
〔後段給水管〕
後段給水管４０は、ポンプユニット６０から複数の水供給先としての各階の空間区画部１１１〜１１４への水を流通させる管である。また、後段給水管４０は、建物１１０の屋上から１階へと上下方向に延びる部位を有する。この、後段給水管４０の上下方向に延びる部位の中では、水は、高架水槽２００から落下して下方に向かって流れる。また、後段給水管４０には、バルブ４５が取り付けられている。バルブ４５は、空間区画部１１１〜１１４における水の需要があるときに開いて水を流通させる。
【００１７】
〔分岐管〕
分岐管１２１〜１２４は、後段給水管４０から建物１１０の複数の空間区画部１１１〜１１４に向けて分岐している。なお、複数の空間区画部１１１〜１１４は、建物１１０の中で鉛直方向に並んでいる。空間区画部１１１〜１１４は、床、壁及び天井板により囲まれる構成を言い、人が住む居住空間を囲む壁、床及び天井により囲まれる構成、人が居る居所空間を囲む壁、床及び天井により囲まれる構成、人が住む家屋全体の構成等を言う。空間区画部１１１〜１１４は、一つの部屋であってもよく、又は複数の部屋で構成されてもよい。
【００１８】
〔水栓〕
水栓１３１〜１３４は、分岐管１２１〜１２４の端部に取り付けられる。水栓１３１〜１３４は、一方向にひねられることにより水を出し、他方向にひねられることにより水を止める。
【００１９】
〔分流管〕
図３は、分流管１２を接続した給水システム１００の概略図である。分流管１２は中空筒状に形成されている。分流管１２の一端部は前段給水管１０に接続される。分流管１２は、前段給水管１０に接続されることにより、前段給水管１０の一部を構成するものとする。分流管１２の他端部は、後述する迂回管部７０の第１管部１４と接続される。分流管１２には、手動のバルブ１３が取り付けられる。バルブ１３が開かれるに従って迂回管部７０を流通する水量が増加し、バルブ１３が閉じられるに従って迂回管部７０を流通する水量が減少する（水流が停止する場合を含む）。
分流管１２は、元々給水システム１００に含まれていない構成であるが、水道工事のときに給水システム１００に取り付けられるものである。分流管１２は、水道工事後も前段給水管１０に取り付けられたままにしてもよく、その場合には水道工事後も給水システム１００の一部を構成する。
【００２０】
〔迂回管部〕
図４は、迂回管部７０を接続した給水システム１００の概略図である。迂回管部７０は、第１管部１４と、第１排水量調節部２０、第２管部２２と、第２排水量調節部２３と、第３管部２７，２８と、減圧バルブ１８と、水圧計測部１６，１７と、を備える。
迂回管部７０は、元々給水システム１００に含まれていない構成であるが、水道工事のときに給水システム１００に仮設されるものである。迂回管部７０は、水道工事後には取り外されるので、水道工事後には給水システム１００の一部を構成しない。
【００２１】
第１管部１４は、中空筒状に形成される部位である。
第１管部１４の一端部は、前述のように分流管１２の他端部と接続される。第１管部１４の他端部には、水を排出可能な第１開口１９（図４中の水道蛇口に相当する）が形成されている。第１管部１４には、手動のバルブ１５が取り付けられている。バルブ１５が開かれるに従って第３管部２７，２８を流通する水量が増加し、バルブ１５が閉じられるに従って第３管部２７，２８を流通する水量が減少する（又は水流が停止する）。
【００２２】
第１排水量調節部２０は、第１管部１４に設けられ、第１開口１９から排出される水の量を調節する。第１排水量調節部２０としては、例えば水道蛇口に設けられるハンドルが用いられる。このハンドルを一方向に回すに従って第１開口１９から排出される水量が増加し、そのハンドルを他方向に回すに従って第１開口１９から排出される水量が減少する（又は水流が停止する）。
第１排水量調節部２０及び第２管部２２は、第２排水量調節部２３によってポンプユニット６０からの水が減圧されているはずの状態であっても、誤って水の圧力が高い場合に、水を逃がす緊急のためのものである。
【００２３】
第２管部２２は、第１管部１４の第１分岐部位２１から分岐して延びる中空筒状の部位であり、端部には水を排出可能な第２開口２４を有する。図４中の蛇口の開口まで第２管部２２に含まれる。
【００２４】
第２排水量調節部２３は、第２管部２２に設けられ、第２開口２４から排出される水の量を調節する。第２排水量調節部２３としては、例えば手動のバルブが用いられる。このバルブが開かれるに従って第２開口２４から排出される水量が増加し、そのバルブが閉じられるに従って第２開口２４から排出される水量が減少する（又は水流が停止する）。
なお、例えば５０軒前後の建物では水が使われない時間帯があるが、ポンプユニット６０は常に稼働させておかないと壊れてしまうことがある。第２排水量調節部２３は。そのような時間帯に水を逃がし、ポンプユニット６０を保護するために用いられる。
【００２５】
第３管部２７，２８は、第１管部１４における第１分岐部位２１よりも下流の第２分岐部位２５，２６から分岐して延びる中空筒状の部位であり、他端部が後段給水管４０におけるバルブ４５よりも下流の部位（すなわち分水栓取付部位４１，４２）に接続される。第３管部２７と第３管部２８とは、第１管部１４から後段給水管４０へ向かう水の並行流を流通させる。
【００２６】
減圧バルブ１８は、第１管部１４の第１分岐部位２１と第２分岐部位２５との間に設けられる。減圧バルブ１８は、第１管部１４を流通する水を減圧する弁である。なお、受水槽１０１から高架水槽２００に上がってくる圧力は、高架水槽２００から落ちてきたばかりの水の圧力よりも高い。その水の圧力差により配管が壊れてしまう虞があるので、減圧バルブ１８によって水を減圧する。
【００２７】
水圧計測部１７は、第１管部１４における減圧バルブ１８よりも下流に設けられ、第１管部１４の内部の減圧後の水の圧力を計測する部位である。水圧計測部１６は、第１管部１４における減圧バルブ１８よりも上流に設けられ、第１管部１４の内部の減圧前の水の圧力を計測する部位である。
【００２８】
以上のような給水システム１００の高架水槽２００は、作業者によって以下のように取り替えられる。以下、図３〜図９を参照しつつ説明する。
【００２９】
〔迂回管部接続工程〕
図３に示されるように、制御部５０は、水位計（不図示）が検知する計測値に基づいてポンプユニット６０を駆動するように制御する。これにより、高架水槽２００に所定水位の水が貯水される。作業者は、高架水槽２００に所定水位の水が貯水されていることを確認する。高架水槽２００に水が所定水位まで貯水された状態では、ポンプユニット６０から高架水槽２００への更なる水の供給が停止される。ただし、高架水槽２００には水が貯水されており、バルブ４５が開かれるので、高架水槽２００から後段給水管４０に給水可能な状態となっている。
【００３０】
作業者は、このような状態になった後に迂回管部接続工程を開始する。すなわち、前段給水管１０の内部の水の流通が停止していると共に後段給水管４０の内部の水が流通する間に、図３に示されるように、作業者は、前段給水管１０に対してバルブ１１を取り付ける。作業者は、バルブ１１を開いた状態に設定する。
また、作業者は、前段給水管１０に対して分流管１２を接続し、分流管１２にバルブ１３を取り付ける。作業者は、バルブ１３を閉じた状態に設定する。
【００３１】
次に、作業者は、図４に示されるように、分流管１２に対して第１管部１４を接続し、この第１管部１４に対して第２管部２２及び第３管部２７，２８を接続する。また、作業者は、第３管部２７，２８と後段給水管４０との間を接続する。このとき、作業者は、高架水槽２００から水が下の空間区画部１１１〜１１４に流れる間に、サドル分水栓９３（図５Ａ参照）が取り付ける。第３管部２７，２８を後段給水管４０に取り付ける方法を以下に説明する。
【００３２】
図５Ａ、図５Ｂ、図６Ａ、図６Ｂは、後段給水管４０に対して迂回管部７０を取り付ける工程を示す概略図である。図５Ａ、図５Ｂ、図６Ａ、図６Ｂにおいては、断面を示すハッチングは省略されている。図５Ａに示される後段給水管４０には、水道水が流れている。この後段給水管４０に対してサドル分水栓９３が取り付けられる。サドル分水栓９３は、弁収納部９４と、弁９５と、を備える。弁９５は、弁収納部９４から伸び出し可能及び弁収納部９４に退避可能に構成されている。穿孔機９６は、錐９７と、ハンドル９８と、を備える。ハンドル９８が一方向に回されると、錐９７は、穿孔機９６の筐体からサドル分水栓９３及び後段給水管４０の方に回転しながら進入し、ハンドル９８が他方向に回されると、錐９７は、穿孔機９６の筐体へと回転しながら退避する。
【００３３】
図５Ｂに示されるように、ハンドル９８が一方向に回されることにより、錐９７が穿孔機９６から回転しながら伸び出し、後段給水管４０の壁面に孔９９を形成する。後段給水管４０を流れる水道水は、サドル分水栓９３に流れ込む。
【００３４】
図６Ａに示されるように、弁９５が弁収納部９４から伸び出し、サドル分水栓９３を閉じる。それから、穿孔機９６がサドル分水栓９３から外される。
【００３５】
図６Ｂに示されるように、サドル分水栓９３に対して迂回管部７０が取り付けられる。そして、弁９５が弁収納部９４に退避させられる。これにより、後段給水管４０と迂回管部７０とが連通する。そして、水が迂回管部７０から後段給水管４０へと流動することが、できるようになる。
【００３６】
前述してきた作業により、迂回管部７０によって前段給水管１０の分流管１２と後段給水管４０との間が接続されたことになる。それから、作業者は、手動のバルブ１３，１５を開いて前段給水管１０から迂回管部７０を経由して後段給水管４０に給水する。
【００３７】
作業者は、水圧計測部１６の計測値を確認し、計測値が高いと判断した場合には、減圧弁１８を操作し、計測値（水の圧力）を適正値に減圧し、分流管１２及び第１管部１４を流通する水の圧力を適正圧力に調節する。
また、作業者は、水圧計測部１６，１７の計測値を確認し、水圧計測部１６，１７が検知する水の圧力が所定値よりも高いと判断した場合には、減圧弁１８により水の圧力を適性圧力に調節する（減少させる）。なお、水が使用されず、水が流れていない状態でポンプユニット６０を可動すると水が沸騰し、水を加圧できなくなる。ポンプユニット６０の加熱を防ぎ、冷却するために、第１排水量調節部２０を調節し、第１開口１９から水を排出する。
【００３８】
〔高架水槽取替工程〕
図７は、既設の高架水槽２００を取り外した様子を示す工程図である。図７に示されるように、作業者は、迂回管部７０を経由して後段給水管４０に給水しつつ、バルブ１１を閉じて前段給水管１０から高架水槽２００への水の流通を停止させてから高架水槽２００を取り外す。
【００３９】
図８は、新しい高架水槽３００を取り付けた様子を示す工程図である。図８に示されるように、作業者は、別の高架水槽３００を前段給水管１０及び後段給水管４０に接続する。このようして高架水槽２００が高架水槽３００に取り替えられる。作業者は、バルブ１１を開いて前段給水管１０から別の高架水槽３００へと水の流通を再開させて前段給水管１０から前記別の高架水槽３００を経由して後段給水管４０に給水する。
【００４０】
〔迂回管部取り外し工程〕
図９は、迂回管部７０を取り外した様子を示す工程図である。作業者は、別の高架水槽３００を経由して後段給水管４０に給水しつつ、バルブ１３を閉じて迂回管部７０の水の流通を停止させてから、迂回管部７０を前段給水管１０及び後段給水管４０から取り外す。
【００４１】
本実施形態の給水維持方法によれば、例えば、以下の効果が奏される。
本実施形態の給水維持方法は、高架水槽２００と、高架水槽２００への水が流通する前段給水管１０と、高架水槽２００から複数の空間区画部１１１〜１１４への水が流通する後段給水管４０と、前段給水管１０の水を高架水槽２００へと流動させるためのポンプユニット６０と、ポンプユニット６０の駆動を制御する制御部５０と、を備える給水システム１００について、高架水槽２００を取り替えるときの給水維持方法であって、高架水槽２００から後段給水管４０に給水しつつ、迂回管部７０により前段給水管１０と後段給水管４０との間を接続し、迂回管部７０を経由して後段給水管４０に給水する、迂回管部接続工程と、迂回管部７０を経由して後段給水管４０に給水しつつ、前段給水管１０から高架水槽２００への水の流通を停止させてから別の高架水槽３００に取り替え、前段給水管１０から別の高架水槽３００へと水の流通を再開させて前段給水管１０から別の高架水槽３００を経由して後段給水管４０に給水する、高架水槽取替工程と、別の高架水槽３００を経由して後段給水管４０に給水しつつ、迂回管部７０の水の流通を停止させてから迂回管部７０を取り外す、迂回管部取り外し工程と、を備える。
【００４２】
そのため、高架水槽２００の取付位置において、既設の高架水槽２００から別の高架水槽３００に取り替える作業を、給水を維持しながら行うことができる。すなわち、高架水槽２００から給水している間に、作業者は外部に迂回管部７０を仮設して水道水の迂回経路を形成できる。そして、仮設の迂回管部７０から給水している間に、作業者は高架水槽２００を高架水槽３００に取り替えることができる。それから、別の高架水槽３００から給水している間に、作業者は迂回管部７０を取り外すことができる。従って、高架水槽の交換にあたり、給水が停止することがない。
また、高架水槽２００から高架水槽３００への取替作業において、高架水槽２００の経路及び迂回管部７０の経路を併用する時間、並びに高架水槽３００の経路及び迂回管部７０の経路を併用する時間があり、水量を可能な限り減少させずに済む。
【００４３】
本実施形態の給水維持方法において、迂回管部接続工程は、制御部５０がポンプユニット６０を駆動して高架水槽２００に所定水位の水が貯水された後に開始する。
【００４４】
そのため、高架水槽２００に所定水位の水が貯水されて高架水槽２００への水の流通が停止している時間を用いて、迂回管部７０の取付作業の一部を行うことができる。従って、前段給水管１０における水の流通を水道工事のために、敢えて止める必要はない。
【００４５】
本実施形態の給水維持方法において、迂回管部７０は、一端部が前段給水管１０に接続され、他端部に水を排出可能な第１開口１９を有する第１管部１４と、第１管部１４の第１分岐部位２１から分岐し、水を排出可能な第２開口２４を有する第２管部２２と、第１管部１４における第１分岐部位２１よりも下流の第２分岐部位２５，２６から分岐し、後段給水管４０に接続される第３管部２７，２８と、第１管部１４の第１分岐部位２１と第２分岐部位２５，２６との間に設けられる減圧バルブ１８と、第１管部１４における減圧バルブ１８よりも下流に設けられ、第１管部１４の内部の水の圧力を計測する水圧計測部１７と、を有し、水圧計測部１７が検知する水の圧力が所定値よりも高い場合には減圧弁１８により第１管部１４を流通する水の圧力を減少させる。
【００４６】
そのため、高架水槽２００，３００から落下する水と高架水槽２００，３００へと上昇する水との圧力差を低減させることができる。
【００４７】
〔変形例〕
以上、本発明の実施形態について説明した。本実施形態では、ポンプユニット６０は、ポンプの数が４つであったが、この実施形態に限定されることなく、１つ、２つ、３つ、または５以上の構成であってもよい。
【００４８】
実施形態では、バルブ１１，１３，１５、第１排水量調節部２０及び第２排水量調節部２３の開閉は、作業者が手動で行うものであったが、この方法に限定されることなく、制御部５０によってバルブ１１，１３，１５、第１排水量調節部２０及び第２排水量調節部２３を開閉する構成であってもよい。
【００４９】
実施形態では、空間区画部１１１〜１１４の各々は、床、壁及び天井板により囲まれる構成であったが、この構成に限定されることなく、床を有するが壁及び天井板を有しない構成であってもよい。例えば、建物１１０の屋上において床に水飲み場を設置するような構成であり、この場合には壁及び天井板を有しない構成であってもよい。あるいは、床及び壁を有するが天井板を有しない構成であってもよい。例えば、建物１１０の屋上において壁に水飲み場を設置するような構成であり、この場合には天井板を有しない構成であってもよい。
【００５０】
実施形態では、給水システム１００の受水槽１０１及びポンプユニット６０は建物１１０の外部に配置されている構成であったが、この構成に限定されない。受水槽１０１及びポンプユニット６０の全部又は一部が建物１１０の内部に配置される構成であってもよい。
【００５１】
実施形態では、前段給水管１０に対して迂回管部７０を接続する方法であったが、この方法に限定されない。前段給水管１０と迂回管部７０とが一体的に構成された迂回管部を用いて水の迂回経路を取り付ける方法であってもよい。
【符号の説明】
【００５２】
１２        分流管
１４        第１管部
１６，１７  水圧計測部
１８        減圧バルブ
１９        第１開口
２０        第１排水量調節部
２１        第１分岐部位
２２        第２管部
２３        第２排水量調節部
２４        第２開口
２５，２６  第２分岐部位
２７，２８  第３管部
４０        後段給水管
４１，４２  分水栓取付部位
５０        制御部
６０        ポンプユニット
７０        迂回管部
１１０      建物
１１１〜１１４  空間区画部（水供給先）
２００，３００  高架水槽
【図１】
2019183566.tif 000003
【図２】
2019183566.tif 000004
【図３】
2019183566.tif 000005
【図４】
2019183566.tif 000006
【図５Ａ】
2019183566.tif 000007
【図５Ｂ】
2019183566.tif 000008
【図６Ａ】
2019183566.tif 000009
【図６Ｂ】
2019183566.tif 000010
【図７】
2019183566.tif 000011
【図８】
2019183566.tif 000012
【図９】
2019183566.tif 000013
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
高架水槽と、前記高架水槽への水が流通する前段給水管と、前記高架水槽から複数の水供給先への水が流通する後段給水管と、前記前段給水管の水を前記高架水槽へと流動させるためのポンプユニットと、前記ポンプユニットの駆動を制御する制御部と、を備える給水システムについて、前記高架水槽を取り替えるときの給水維持方法であって、
前記高架水槽から前記後段給水管に給水しつつ、迂回管部により前記前段給水管と前記後段給水管との間を接続し、前記迂回管部を経由して前記後段給水管に給水する、迂回管部接続工程と、
前記迂回管部を経由して前記後段給水管に給水しつつ、前記前段給水管から前記高架水槽への水の流通を停止させてから別の高架水槽に取り替え、前記前段給水管から前記別の高架水槽へと水の流通を再開させて前記前段給水管から前記別の高架水槽を経由して前記後段給水管に給水する、高架水槽取替工程と、
前記別の高架水槽を経由して前記後段給水管に給水しつつ、前記迂回管部の水の流通を停止させてから前記迂回管部を取り外す、迂回管部取り外し工程と、
を備え、
前記迂回管部は、
一端部が前記前段給水管に接続され、他端部に水を排出可能な第１開口を有する第１管部と、
前記第１管部の第１分岐部位から分岐し、水を排出可能な第２開口を有する第２管部と、
前記第１管部における前記第１分岐部位よりも下流の第２分岐部位から分岐し、前記後段給水管に接続される第３管部と、
前記第１管部の前記第１分岐部位と前記第２分岐部位との間に設けられる減圧バルブと、
前記第１管部における前記減圧バルブよりも下流に設けられ、前記第１管部の内部の水の圧力を計測する水圧計測部と、
を有し、
前記水圧計測部が検知する水の圧力が所定値よりも高い場合には前記減圧バルブにより前記第１管部を流通する水の圧力を減少させる給水維持方法。
【請求項２】
前記迂回管部接続工程は、前記制御部が前記ポンプユニットを駆動して前記高架水槽に所定水位の水が貯水された後に開始する、請求項１に記載の給水維持方法。